(57)【要約】      （修正有）【課題】机のテーブル上に喰い込める前開き空間部の構造とし、かつキャスターは軸構成を非磁性真鍮を用いて、ワゴン自体が全く磁気影響を受けない非磁性体構成として、使用の効率性を損なわないようにしたＭＲＩ用非磁性ワゴンを提供する。【解決手段】二本の水平に平行した非磁性脚杆１の下部に非磁性の４個のキャスター４６を取付けると共に、非磁性脚杆１には一端を固着させて垂直方向に起立させた一対の非磁性体のアルミニウム管４の垂直部の上方に短尺な斜行部４２を経て１８０度変位できる上方に向う曲折部５を設けて、長尺な水平部４３を形成して一対の長尺な水平部４３により水平枠部７を形成し、この水平枠部７に非磁性の方形卓板８を載置固定して、下方に前開き空間部Ｍを形成し、アルミニウム管４の垂直部４１には水平の方形枠４４を固着し、着脱自在に合成樹脂製トレー４５を載置して成る。【選択図】図１
0003200227.tif 000002
【実用新案登録請求の範囲】
【請求項１】
非磁性支杆を介在させて二本の水平に平行した非磁性脚杆を固定し、方形の下面枠部を形成し、前記非磁性脚杆の前後下部に非磁性の４個のキャスターを取付けると共に、前記非磁性脚杆には一端を固着させて垂直方向に起立させた一対の非磁性体のアルミニウム管の垂直部の上方に短尺な斜行部を経て１８０度変位できる上方に向う曲折部を設けて、長尺な水平部を形成して一対の長尺な水平部により水平枠部を形成し、この水平枠部に非磁性の方形卓板を載置固定して、前記方形卓板の下方に前開き空間部を形成すると共に、前記アルミニウム管の一対の垂直部には一以上の水平の方形枠を固着し、着脱自在に合成樹脂製トレーを載置して成ることを特徴とするＭＲＩ用非磁性ワゴン。
【請求項２】
前記非磁性のキャスターは、支軸部及び回転軸部並びにストッパー片がすべて非磁性体金属の真鍮製であることを特徴とする請求項１記載のＭＲＩ用非磁性ワゴン。
【請求項３】
前記非磁性の方形卓板は、木製の方形卓板であることを特徴とする請求項１記載のＭＲＩ用非磁性ワゴン。
【考案の詳細な説明】
【技術分野】
【０００１】
本考案は、磁気作用の厳しい環境下で安全に移動可能なＭＲＩ用非磁性ワゴンに関する。
【背景技術】
【０００２】
一般にＭＲＩ（ｍａｇｎｅｔｉｃ  ｒｅｓｏｎａｎｃｅ  ｉｍａｇｉｎｇ）と呼ばれる医療機器が知られている。このＭＲＩは、核磁気共鳴画像法により生体内の内部の情報を画像にする方法を実現できるものとして各種医療機関では広く使用されている（例えば、特許文献１参照）。
【０００３】
この種のＭＲＩを用いた医療機器は、強磁力を用いているため、磁性体金属を用いた机、椅子などは漏洩磁力の影響を受けて不用意に移動して部屋の壁面に衝突するなどの事故が発生して概して看護師や医師などの予期せぬ重大な事故を招くという問題があった。
【０００４】
そのため、テーブルとかベッドを非磁性材料で形成して強磁性力の影響を排除する対策を講じているものが知られている（例えば、特許文献２及び３参照）。
【先行技術文献】
【特許文献】
【０００５】
【特許文献１】特公平６−００４０６４号公報
【特許文献２】実開平２−５１５０９号公報
【特許文献３】特開２０１４−１８３９５７号公報
【考案の概要】
【考案が解決しようとする課題】
【０００６】
上述の公知のテーブルやワゴンに用いている非金属の非磁性体としては、多くの場合、滑車やキャスターは木製やプラスチック製を用いており、操作性が悪いという不都合があった。
【０００７】
本考案は、叙上の点に着目して成されたもので、主としては、ワゴンは特殊な構成として、テーブル上に喰い込める前開き空間部の構造とし、かつキャスターは軸構成を非磁性で強度の大きな真鍮を用いて、ワゴン自体が全く磁気影響を受けない非磁性体構成として使用の効率性を損なわないようにしたＭＲＩ用非磁性ワゴンを提供することを目的とする。
【課題を解決するための手段】
【０００８】
この考案は下記の構成を備えることにより上記課題を解決できるものである。
【０００９】
（１）非磁性支杆を介在させて二本の水平に平行した非磁性脚杆を固定し、方形の下面枠部を形成し、前記非磁性脚杆の前後下部に非磁性の４個のキャスターを取付けると共に、前記非磁性脚杆には一端を固着させて垂直方向に起立させた一対の非磁性体のアルミニウム管の垂直部の上方に短尺な斜行部を経て１８０度変位できる上方に向う曲折部を設けて、長尺な水平部を形成して一対の長尺な水平部により水平枠部を形成し、この水平枠部に非磁性の方形卓板を載置固定して、前記方形卓板の下方に前開き空間部を形成すると共に、前記アルミニウム管の一対の垂直部には一以上の水平の方形枠を固着し、着脱自在に合成樹脂製トレーを載置して成ることを特徴とするＭＲＩ用非磁性ワゴン。
【００１０】
（２）前記非磁性のキャスターは、支軸部及び回転軸部並びにストッパー片がすべて非磁性体金属の真鍮製であることを特徴とする前記（１）記載のＭＲＩ用非磁性ワゴン。
【００１１】
（３）前記非磁性の方形卓板は、木製の方形卓板であることを特徴とする前記（１）記載のＭＲＩ用非磁性ワゴン。
【考案の効果】
【００１２】
本考案によれば、ワゴン全体がキャスターを含めて非磁性体で形成されているので、ＭＲＩの磁性作用を受けても吸着作動することなく、安全な作動を可能とすると共に、卓上板の下部には前開き空間部を形成してあるので、併用する机の卓上板の収容部が形成され、部分的な二段構造が形成されるので、手術などの医療行為を効率良く行え、かつ前記前開き空間部は上下方向に間隔が形成されているので、併用する机の高さに順応して机の高さの変化に対応して有効に活用できるなどの効果がある。
【図面の簡単な説明】
【００１３】
【図１】本考案に係るＭＲＩ用非磁性ワゴンの一実施例を示す斜視図
【図２】図１の側面図
【図３】机との有効利用を示す斜視図
【図４】図３の側面図
【図５】本考案に係るキャスターの一実施例を示すもので、（ａ）正面図、（ｂ）側面図、（ｃ）（ａ）のＣ−Ｃ線断面図
【考案を実施するための形態】
【００１４】
以下本考案実施するための最良の形態を、実施例により詳しく説明する。
【実施例】
【００１５】
以下に、本考案の一実施例を図面と共に説明する。
【００１６】
図面において、１，１は、二本の平行に配列さる非磁性脚杆、２，２は、前記非磁性脚杆１，１間に介在させた非磁性支杆であって、アルミニウム又はプラスチックで形成される。
【００１７】
３は、前記非磁性脚杆１，１及び非磁性支杆２，２で形成される方形の下面枠部、４，４は、前記非磁性脚杆１，１の略中央に一端を固着して起立させた比較的大きな径の大きなアルミニウム管であって、垂直部４１，４１に続き、短尺な斜行部４２，４２を形成し、１８０度変位した半円形状の曲折部５，５を設けて前記斜行部４２，４２と平行な長尺な水平部４３，４３を形成して端部６，６を互いに向い合う形状に形成して、一対の端部６，６を含んで前記水平部４３，４３で水平枠部７が形成され、この水平枠部７上に木製の方形卓板８が載置され固着させてある。そして、上下の斜行部４２、水平部４３との間の可変可能な長さＬを備えた前開き空間部Ｍを形成できる。
【００１８】
４４は、一対のアルミニウム管４，４の垂直部４１，４１の上下２箇所に固着させた水平の方形枠、４５は前記方形枠４４に着脱自在の合成樹脂製のトレーを示す。
【００１９】
４６は、図５に示すように、前記非磁性脚杆１，１の下面前後に配設させた非磁性のキャスターであって、支軸部４６１及び車軸回転軸４６２は、非磁性の真鍮で形成され、ストッパースプリング４６３及びストッパーレバーピン４６４は、いずれも非磁性のステンレス鋼で形成されると共に、それ以外の車輪部材はすべて非磁性のプラスチックで形成される。
【００２０】
つぎに、本考案のワゴンに対応して使用するテーブルＴとの共用について、図３及び図４と共に説明する。
【００２１】
このテーブルＴは、すべての構成について非磁性体で形成されており、４本の支柱Ｐ上に方形の卓板Ｑが設けられ、必要に応じて非磁性体で本考案のワゴンに用いられている構造と同一のキャスターＫが取り付けられている。
【００２２】
図示では、幅員の一般的な卓板Ｑで形成され、この卓板Ｑの端縁がワゴンの前開き空間部Ｍに嵌合し、ワゴンの方形卓板８がテーブルＴの卓板Ｑ上に重なり合って作業性の向上を図っている。
【００２３】
このように、物を移動するワゴンだけでなくテーブルＴと重なり合う卓上の二重構造が、狭いＭＲＩ装置の医療現場で、複数の医師や複数の看護師が協力して作業の能率を図ることでき、安全に行うことができる。
【符号の説明】
【００２４】
１    非磁性脚杆
２    非磁性支杆
３    下面枠部
４    アルミニウム管
５    曲折部
６    端部
７    水平枠部
８    方形卓板
４１  垂直部
４２  斜行部
４３  水平部
４４  方形枠
４５  合成樹脂製のトレー
４６  キャスター
４６１  支軸部
４６２  車軸回転軸
４６３  ストッパースプリング
４６４  ストッパーレバーピン
Ｌ    斜行部４２，水平部４３との間の長さ
Ｍ    空間部
Ｔ    テーブル
Ｐ    支柱
Ｑ    卓板
Ｋ    キャスター
【図１】
0003200227.tif 000003
【図２】
0003200227.tif 000004
【図３】
0003200227.tif 000005
【図４】
0003200227.tif 000006
【図５】
0003200227.tif 000007